(57)【要約】      （修正有）【課題】壁面の吸音材・断熱材が様々な厚みに設定されても対応可能な配管支持具用台座の提供。【解決手段】吸音材・断熱材が貼り付けられた壁面に配管支持具を取付ける配管支持具用台座１において、台座１が、壁面に固定される固定板２１と、固定板２１から立設する支持部材２２とを有する壁面固定部２と、配管支持具が固定されるフランジ板３１と、支持部材に対して高さ調節可能に取り付けられるスライド部材３２とを有する配管支持具固定部３と、支持部材２２とスライド部材３２を係止固定する貫通係止部材９と、を有し、支持部材には係止孔２４が形成され、スライド部材３２にはスライドした際に係止孔に重合する被係止孔３３が形成され、支持部材２２に対してスライド部材３２をスライドさせ、重合した係止孔２４と被係止孔３３に貫通係止部材９を貫通挿通することにより、吸音材・断熱材の表面と略同等高さに配管支持具を取付けることを可能とする。【選択図】図１
2020070830.tif 000002
【特許請求の範囲】
【請求項１】
クッション性を有する吸音材・断熱材が貼り付けられた壁面に、配管・配線を配設支持する配管支持具を前記吸音材・断熱材の厚みを考慮した状態で取付けるための配管支持具用台座において、
配管支持具用台座が、
ボルトやネジの如き固定手段により壁面に固定される固定板と、該固定板から立設する支持部材と、を有する壁面固定部と、
配管支持具が載置状態で固定されるフランジ板と、該フランジ板から垂設して該フランジ板を前記吸音材・断熱材の表面と略同等高さとなるように前記支持部材に対して高さ調節可能に取り付けられるスライド部材と、を有する配管支持具固定部と、
前記支持部材と前記スライド部材とを係止固定する貫通係止部材と、
を有して成り、
前記支持部材にスライド部材が並設して重層した状態を維持しながら前記吸音材・断熱材の厚み方向にスライド可能な構成であり、
前記支持部材には、前記吸音材・断熱材の厚み方向である縦方向に並ぶ複数個の係止孔が形成されており
前記スライド部材には、前記係止孔と重合可能な被係止孔が形成されており、
前記フランジ板の高さが前記吸音材・断熱材の厚みに応じた高さとなるように前記スライド板を厚み方向にスライドさせ、このスライドによって重合する被係止孔と係止孔に前記貫通係止部材を貫通挿通してスライド部材を任意のスライド高さ位置で支持部材に係止固定することにより、前記吸音材・断熱材の表面と略同等高さに配管支持具を取付けることを可能とする構成であること、
を特徴とする配管支持具用台座。
【請求項２】
前記支持部材とスライド部材の両方が板状材から成ることを特徴とする請求項１に記載の配管支持具用台座。
【請求項３】
前記支持部材が２枚の板状材から成り、この２枚の板状材が平行状態で前記固定板から立設する構成であり、
前記スライド部材が２枚の板状材から成り、この２枚の板状材が平行状態で前記フランジ板から垂設すると共に、前記支持部材である２枚の板状材の各々の内側又は外側に当接状態乃至は近接状態で重層する構成であること、
を特徴とする請求項１に記載の配管支持具用台座。
【請求項４】
前記支持部材とスライド部材の両方が正円筒体であり、且つ大きさの異なる断面を有することにより重層状態でいずれか一方が他方の内側に挿通可能な構成であることを特徴とする請求項１に記載の配管支持具用台座。
【請求項５】
前記支持部材とスライド部材の両方が多角形筒体であり、且つ大きさの異なる相似断面形状を有することにより重層状態でいずれか一方が他方の内側に挿通可能な構成であることを特徴とする請求項１に記載の配管支持具用台座。
【請求項６】
前記支持部材とスライド部材が、正三角形筒体と正三角形筒体、正四角形筒体と正四角形筒体、正五角形筒体と正五角形筒体、正六角形筒体と正六角形筒体、正八角形筒体と正八角形筒体から選ばれるいずれかの組合せであることを特徴とする請求項５に記載の配管支持具用台座。
【請求項７】
前記支持部材とスライド部材の両方が、アングル（山形鋼）、チャンネル（コの字溝形鋼）、Ｃチャンネル（リップ溝形鋼）のいずれかであることを特徴とする請求項１に記載の配管支持具用台座。
【請求項８】
前記貫通係止部材が、ネジ・ボルト・棒状体・パイプ体のいずれかであることを特徴とする請求項１〜７のいずれかに記載の配管支持具用台座。
【発明の詳細な説明】
【技術分野】
【０００１】
本発明は配管支持具用台座に関し、詳しくはクッション性を有する吸音材・断熱材が貼り付けられた壁面に、配管・配線を配設支持する配管支持具を前記吸音材・断熱材の厚みを考慮した状態で取付けるための配管支持具用台座に関する。
【背景技術】
【０００２】
吸音材・断熱材が貼り付けられた壁面に、配管・配線を配設支持する配管支持具を取付けるための台座としては、例えば、特許文献１に記載の技術等が知られている。
【０００３】
特許文献１に記載の技術によれば、壁面に貼られた吸音材・断熱材に形成した挿入穴に台座を挿入し、この台座の固定板を壁面にボルトやネジの如き固定手段により固定し、前記吸音材・断熱材の表面と略同等高さに位置するフランジ板に配管支持具を載置した状態で取付固定することができる。
【先行技術文献】
【特許文献】
【０００４】
【特許文献１】意匠登録第１５６９８８０号公報
【発明の概要】
【発明が解決しようとする課題】
【０００５】
しかし特許文献１に記載の技術では、施工場所の設計条件に応じて吸音材・断熱材の厚みが様々な厚みに設定された場合、この吸音材・断熱材の様々な厚み毎に適した複数種類の高さの台座を用意しなければならないという問題点を有している。
【０００６】
そこで本発明の課題は、壁面に貼り付けられる吸音材・断熱材が様々な厚みに設定された場合であっても対応可能な配管支持具用台座を提供することにある。
【課題を解決するための手段】
【０００７】
上記課題を解決する本発明は下記構成を有する。
【０００８】
１．クッション性を有する吸音材・断熱材が貼り付けられた壁面に、配管・配線を配設支持する配管支持具を前記吸音材・断熱材の厚みを考慮した状態で取付けるための配管支持具用台座において、
配管支持具用台座が、
ボルトやネジの如き固定手段により壁面に固定される固定板と、該固定板から立設する支持部材と、を有する壁面固定部と、
配管支持具が載置状態で固定されるフランジ板と、該フランジ板から垂設して該フランジ板を前記吸音材・断熱材の表面と略同等高さとなるように前記支持部材に対して高さ調節可能に取り付けられるスライド部材と、を有する配管支持具固定部と、
前記支持部材と前記スライド部材とを係止固定する貫通係止部材と、
を有して成り、
前記支持部材にスライド部材が並設して重層した状態を維持しながら前記吸音材・断熱材の厚み方向にスライド可能な構成であり、
前記支持部材には、前記吸音材・断熱材の厚み方向である縦方向に並ぶ複数個の係止孔が形成されており
前記スライド部材には、前記係止孔と重合可能な被係止孔が形成されており、
前記フランジ板の高さが前記吸音材・断熱材の厚みに応じた高さとなるように前記スライド板を厚み方向にスライドさせ、このスライドによって重合する被係止孔と係止孔に前記貫通係止部材を貫通挿通してスライド部材を任意のスライド高さ位置で支持部材に係止固定することにより、前記吸音材・断熱材の表面と略同等高さに配管支持具を取付けることを可能とする構成であること、
を特徴とする配管支持具用台座。
【０００９】
２．前記支持部材とスライド部材の両方が板状材から成ることを特徴とする上記１に記載の配管支持具用台座。
【００１０】
３．前記支持部材が２枚の板状材から成り、この２枚の板状材が平行状態で前記固定板から立設する構成であり、
前記スライド部材が２枚の板状材から成り、この２枚の板状材が平行状態で前記フランジ板から垂設すると共に、前記支持部材である２枚の板状材の各々の内側又は外側に当接状態乃至は近接状態で重層する構成であること、
を特徴とする上記１に記載の配管支持具用台座。
【００１１】
４．前記支持部材とスライド部材の両方が正円筒体であり、且つ大きさの異なる断面を有することにより重層状態でいずれか一方が他方の内側に挿通可能な構成であることを特徴とする上記１に記載の配管支持具用台座。
【００１２】
５．前記支持部材とスライド部材の両方が多角形筒体であり、且つ大きさの異なる相似断面形状を有することにより重層状態でいずれか一方が他方の内側に挿通可能な構成であることを特徴とする上記１に記載の配管支持具用台座。
【００１３】
６．前記支持部材とスライド部材が、正三角形筒体と正三角形筒体、正四角形筒体と正四角形筒体、正五角形筒体と正五角形筒体、正六角形筒体と正六角形筒体、正八角形筒体と正八角形筒体から選ばれるいずれかの組合せであることを特徴とする上記５に記載の配管支持具用台座。
【００１４】
７．前記支持部材とスライド部材の両方が、アングル（山形鋼）、チャンネル（コの字溝形鋼）、Ｃチャンネル（リップ溝形鋼）のいずれかであることを特徴とする上記１に記載の配管支持具用台座。
【００１５】
８．前記貫通係止部材が、ネジ・ボルト・棒状体・パイプ体のいずれかであることを特徴とする上記１〜７のいずれかに記載の配管支持具用台座。
【発明の効果】
【００１６】
請求項１に示す発明によれば、壁面に貼り付けられる吸音材・断熱材が様々な厚みに設定された場合であっても対応可能な配管支持具用台座を提供することができる。
【００１７】
特に、壁面固定部に対して配管支持具固定部が高さ調節可能な構成を有するので、吸音材・断熱材の厚みに応じて高さを適宜設定することにより配管支持具を取付固定するフランジ板を前記吸音材・断熱材の表面と略同等高さとすることができる。
また、壁面固定部の支持部材に対して、配管支持具固定部のスライド部材が高さ調節可能に並設して重層する構成を有するので、壁面固定部に対して配管支持具を安定した状態で取り付けられる。従って、配管支持具固定部のフランジ板に載置固定される配管支持具を安定した状態で取り付けることができるので、壁面に沿って配管・配線を安定した状態で支持固定することができる。
更に、本発明の重合する係止孔と被係止孔に貫通係止部材を貫通挿通して係止固定する構成によって耐振（耐震）性の向上、及びぐらつきの抑制効果が期待できる。
【００１８】
請求項２に示す発明によれば、支持部材とスライド部材を入手や加工が極めて容易な一般的な板状材を用いて形成することが可能なので低コストで容易に提供することができる。
【００１９】
請求項３に示す発明によれば、壁面固定部の２枚の支持部材に対して、配管支持具固定部の２枚のスライド部材が高さ調節可能に重層する構成を有するので、壁面固定部に対して配管支持具を安定した状態で取り付けられる。従って、配管支持具固定部のフランジ板に載置固定される配管支持具を安定した状態で取り付けることができるので、壁面に沿って配管・配線を安定した状態で支持固定することができる。
【００２０】
請求項４に示す発明によれば、重層する支持部材とスライド部材の両方が正円筒体であるため、高さ調節可能であるだけでなく、支持部材に対してスライド部材を回動させることができるので抱持支持する配管の配管向きに応じて配管支持具を取付固定するフランジ板の向きを調節することができる。
【００２１】
請求項５又は請求項６に示す発明によれば、支持部材及びスライド部材として入手や加工が容易な材料で形成することが可能なので低コストで作成可能である。
【００２２】
請求項７に示す発明によれば、配管設備に用いる部材として一般的な部材であるアングル（山形鋼）、チャンネル（コの字溝形鋼）、Ｃチャンネル鋼（リップ溝形鋼）を用いているので、部材調達が極めて容易であり、加工作業も慣用手段を用いることができるので、低コストで提供することができる。
【００２３】
請求項８に示す発明によれば、貫通係止部材がネジ・ボルト・棒状体・パイプ体等の入手や加工が容易な一般的な部材から成るので、低コストで容易に加工可能である。
【図面の簡単な説明】
【００２４】
【図１】本発明に係る配管支持具用台座の一実施例を示す６面図（正面図、平面図、底面図、左側面図、右側面図、Ａ−Ａ線断面図。背面図は正面図と対称のため省略。Ａ−Ａ線断面図において、符号９で示す貫通係止部材は断面を省略。）
【図２】図１に示す配管支持具用台座の壁面固定部の５面図（正面図、平面図、底面図、左側面図、Ｂ−Ｂ線断面図。背面図は正面図と、右側面図は左側面図と、夫々対称のため省略。）
【図３】図１に示す配管支持具用台座の配管支持具固定部の５面図（正面図、平面図、底面図、左側面図、Ｃ−Ｃ線断面図。背面図は正面図と、右側面図は左側面図と、夫々対称のため省略。）
【図４】図１に示す配管支持具用台座の使用状態の一例を示す概略説明図
【図５】支持部材とスライド部材の他の実施例を示す正面図
【図６】支持部材とスライド部材の更に他の実施例を示す断面図（符号９で示す貫通係止部材は断面を省略。）
【図７】支持部材とスライド部材の更に他の実施例を示す断面図（符号９で示す貫通係止部材は断面を省略。）
【図８】支持部材とスライド部材の更に他の実施例を示す断面図（符号９で示す貫通係止部材は断面を省略。）
【発明を実施するための形態】
【００２５】
次に、添付の図面に従って本発明を詳細に説明する。
【００２６】
本発明に係る配管支持具用台座（以下、単に台座ということもある。）は、クッション性を有する吸音材・断熱材が貼り付けられた壁面に、配管・配線を配設支持する配管支持具を前記吸音材・断熱材の厚みを考慮した状態で取付けるためのものである。
【００２７】
本発明の配管支持具用台座１の具体的構成としては、図１〜図４に示す実施例によれば、
クッション性を有する吸音材・断熱材５が貼り付けられた壁面４に、配管・配線Ｐを配設支持する配管支持具６を前記吸音材・断熱材５の厚みを考慮した状態で取付けるための構成において、
台座１が、
ボルトやネジの如き固定手段７により壁面４に固定される固定板２１と、該固定板２１から立設する支持部材２２と、を有する壁面固定部２と、
配管支持具６が載置状態で固定されるフランジ板３１と、該フランジ板３１から垂設して該フランジ板３１を前記吸音材・断熱材５の表面と略同等高さとなるように前記支持部材２２に対して高さ調節可能に取り付けられるスライド部材３２と、を有する配管支持具固定部３と、
前記支持部材２２と前記スライド部材３２とを係止固定する貫通係止部材９と、
を有して成り、
前記支持部材２２にスライド部材３２が並設して重層した状態を維持しながら前記吸音材・断熱材５の厚み方向にスライド可能な構成であり、
前記支持部材２２には、前記吸音材・断熱材５の厚み方向である縦方向に並ぶ複数個の係止孔２４が形成されており
前記スライド部材３２には、前記係止孔２４と重合可能な被係止孔３３が形成されており、
前記フランジ板３１の高さが前記吸音材・断熱材５の厚みに応じた高さとなるように前記スライド板３２を厚み方向にスライドさせ、このスライドによって重合する被係止孔３３と係止孔２４に前記貫通係止部材９を貫通挿通してスライド部材３２を任意のスライド高さ位置で支持部材２２に係止固定することにより、前記吸音材・断熱材５の表面と略同等高さに配管支持具６を取付けることを可能とする構成であること、
を主構成とするものである。
図１〜図４において、符号２５は固定板２１に穿かれて固定手段７が挿通される壁面固定用孔であり、符号３４はフランジ板３１に穿かれて配管支持具６を取付固定するためのボルト８が挿通螺合する配管支持具固定用孔であり、符号３５は壁面４に台座１を固定手段７によって固定する際に該固定手段７を緊締操作するためのドライバーの如き緊締具を挿通するためのドライバー挿通孔である。
【００２８】
以下、本発明の構成について更に詳説する。
【００２９】
前記壁面固定部２の好ましい構成としては、図２に示すように支持部材２２が２枚の板状材から成り、この２枚の支持部材２２・２２が平行状態で固定板２１から立設する構成である。図２に示すようなＵ字形（倒したコ字形）を有する形状であれば、平板を折曲加工によって容易に加工することができるので好ましい。
【００３０】
前記配管支持具固定部３の好ましい構成としては、図３に示すようにスライド部材３２が２枚の板状材から成り、この２枚のスライド部材３２・３２がフランジ板３１から各々垂設されており、更に２枚のスライド部材３２・３２が前記２枚の支持部材２２・２２の各々の内側に当接状態乃至は近接状態（本実施例ではスライド可能に当接した状態）で重層する構成を有している。
【００３１】
また前記したように、前記支持部材２２には係止孔２４が形成され、スライド部材３２には被係止爪３３が形成されており、重合した２つの孔を貫通係止部材９が貫通挿通する構成である。
貫通係止部材９としては、本実施例ではボルト・ナットを用いているが、重合する係止孔２４と被係止孔３３に貫通挿通することにより係止固定できるものであればよく、ネジ部材でもいし、単なる棒状体やパイプ体であってもよい。本実施例のボルト・ナットの組合せの場合、ナット螺合によって係止孔２４と被係止孔３３からの脱落を防止することができるが、貫通係止部材９の棒状部分を係止孔２４と被係止孔３３に密に挿通される構成とすればナットを螺合することなく脱落を防止することが可能である。
【００３２】
上記構成を有する本発明の台座１は、ステンレス、亜鉛メッキ仕上げを施した鋳鉄鋼等の金属や、ポリプロピレン樹脂、ＡＢＳ樹脂等の合成樹脂等、この種の配管支持具として用いられる公知公用の材料から特別の制限なく形成される。
【００３３】
また、上記構成を有する本発明の台座１を用いる場合、図４に示すように、壁面４に貼られた吸音材・断熱材５に、該台座１が挿入可能な挿入穴を形成し、この挿入孔内に台座１を挿入し、固定板２１を壁面４にボルトやネジの如き固定手段７により固定する。
この挿入前に、前記吸音材・断熱材５の表面とフランジ板３１の位置が略同等高さとなるように、支持部材２２に対してスライド部材３２をスライドして高さ調節を行う。フランジ板３１の高さ位置が吸音材・断熱材５の表面と略同等高さとなる位置までスライドしたら、重合する係止孔２４と被係止孔３３を貫通係止部材９を貫通挿通することによって係止部材２２にスライド部材３２を係止固定する。この係止固定によってフランジ板３１の高さ位置を所望の位置である吸音材・断熱材５の表面と略同等高さに固定することができる。
固定板２１の壁面４への固定と、並びにフランジ板３１の高さ位置を吸音材・断熱材５の表面と略同等高さでの固定とが済んだ後、フランジ板３１に配管支持具６を載置し、ボルト８等によって取付固定する。
台座１に取付固定した配管支持具６に配管・配線Ｐを抱持支持させることによって、クッション性を有する吸音材・断熱材５が貼り付けられた壁面４に、配管・配線Ｐを配設支持することができる。
尚、係止孔２４と被係止孔３３への貫通係止部材９の貫通挿通によって強固に係止固定させる構成とした場合には、壁面固定部２と配管支持具固定部３とが強固に連結された状態となるので、壁面４に対して配管Ｐを支持した配管支持具６を確実且つ強固に支持固定することができる。
尚また、係止孔２４と被係止孔３３への槓子係止部材９の貫通挿通を緩い状態でガタつきを許容させた状態で係止固定させる構成とした場合には、この緩い係止構成が配管Ｐの振動・震動（ウォーターハンマー現象、地震等の揺れ等）を吸収する緩衝機能を発揮することになる。特に、壁面４に取付けた際には本発明の台座１の周囲は吸音材・断熱材５に囲繞された状態となるので、配管Ｐが振動・震動した際には前記した緩い係止構成による緩衝機能に吸音材・断熱材５が有するクッション性が加わって二重の衝撃吸収機能を発揮するという相乗効果が生じることになる。
【００３４】
以上、本発明に係る配管支持具用台座の実施例について説明したが、本発明は上記構成に限定されず、本発明の範囲内において種々の態様を採ることができる。
【００３５】
例えば、上記実施例において、被係止孔３３をスライド部材３２に複数形成した構成としたが、該スライド部材３２の下方部分に少なくとも形成されていればよく、この下方部分に１つだけ形成された構成であっても貫通係止部材９による貫通挿通による係止固定は可能である。
【００３６】
また上記実施例では、２枚ずつの係止部材２２・２２及びスライド部材３２・３２を１本の貫通係止部材９によって係止固定しているが、貫通係止部材９を２本以上用意しておき、係止孔２４と被係止孔３３が重合する２箇所以上において各々の重合部分を貫通係止部材９を貫通挿通してもよい。
更に、図１の正面図において、右側に位置する係止部材２２・スライド部材３２と、左側に位置する支持部材２２・スライド部材３２とを、別なる貫通係止部材９を用いて係止固定する構成であってもよい。
【００３７】
長孔２３及び係止孔２４が壁面固定部２の支持部材２２に形成されると共に、係止爪３３が配管支持具固定部３のスライド部材３２に形成された構成であったが、本発明はかかる構成に限定されず、配管支持具固定部３のスライド部材３２に長孔及び係止孔が形成されると共に、壁面固定部２の支持部材２２に係止爪が形成される構成とすることもできる。
【００３８】
また上記実施例では、２枚のスライド部材３２・３２が２枚の支持部材２２・２２の各々の内側に当接状態乃至は近接状態で重層する構成であったが、本発明はかかる構成に限定されず、２枚のスライド部材３２・３２が２枚の支持部材の各々の外側に重層する構成とすることもできる。
【００３９】
また上記実施例では、支持部材２２とスライド部材３２が平行状態に立設・垂設する２枚の板状材から成る構成であったが、本発明は他の構成であってもよい。
例えば、図５に示すように、支持部材２２とスライド部材３２を各々１枚の板状材から成る構成とすることもできる。かかる構成の場合、壁面固定部２をＬ字金具等のＬ字状部材を用いることにより、固定板２１と支持部材２２を一体構成とすることができる。また、配管支持具固定部３は、Ｔ字金具等のＴ字状部材を用いることにより、フランジ板３１とスライド部材３２を一体構成とすることができる。尚、この１枚の板状材から成る構成の場合、壁面固定部２をＴ字状部材を用いた構成としてもよいし、配管支持具固定部３をＬ字状部材を用いた構成としてもよい。
【００４０】
また、図６に示すように、支持部材２２とスライド部材３２の両方を正円筒体であって且つ大きさの異なる断面を有する構成としてもよい。図６に示す態様では、正円筒体の支持部材２２の内側に正円筒体のスライド部材３２を重層状態で挿通した構成としているが、スライド部材３２を外側とし、支持部材２２を内側に挿通する構成としてもよい。
【００４１】
また、図７に示すように、支持部材２２とスライド部材３２の両方を正四角形筒体であって且つ大きさの異なる相似断面形状を有する構成としてもよい。図７に示す態様では、正四角形筒体の支持部材２２の内側に正四角形筒体のスライド部材３２を重層状態で挿通した構成としているが、スライド部材３２を外側とし、支持部材２２を内側に挿通する構成としてもよい。
【００４２】
更に、図７に示す態様では、支持部材２２とスライド部材３２とを正四角形筒体の組合せ構成としていたが、本発明は正四角形筒体に限らず他の多角形筒体の組合せ構成であってもよい。他の多角形筒体の組合せ構成としては、例えば、正三角形筒体と正三角形筒体、正五角形筒体と正五角形筒体、正六角形筒体と正六角形筒体、正八角形筒体と正八角形筒体等を挙げることができる。
【００４３】
更にまた、図８に示すように、外側に位置する支持部材２２をＣチャンネル（リップ溝形鋼）とし、重層状態で内側に挿通されるスライド部材３２をチャンネル（コの字溝形鋼）とする組合せ構成であってもよい。かかる構成によれば、配管設備に用いる部材として一般的な部材を用いているので、部材調達が極めて容易であり、加工作業も慣用手段を用いることができるので、低コストで提供することができる。この種だの配管設備に用いる一般的な部材としては、他にアングル（山形鋼）も用いることができ、アングル（山形鋼）とアングル（山形鋼）との組合せ構成や、チャンネル（コの字溝形鋼）とチャンネル（コの字溝形鋼）との組合せ構成、Ｃチャンネル鋼（リップ溝形鋼）とＣチャンネル（リップ溝形鋼）との組合せ構成等を挙げることができる。
【符号の説明】
【００４４】
１  配管支持具用台座
２  壁面固定部
２１  固定板
２２  支持部材
２３  長孔
２４  係止孔
２５  壁面固定用孔
３  配管支持具固定部
３１  フランジ板
３２  スライド部材
３３  被係止孔
３４  配管支持具固定用孔
３５  ドライバー挿通孔
３６  切起し孔
４  壁面
５  吸音材・断熱材
６  配管支持具
７  固定手段
８  ボルト
９  貫通係止部材
Ｐ  配管・配線
【図１】
2020070830.tif 000003
【図２】
2020070830.tif 000004
【図３】
2020070830.tif 000005
【図４】
2020070830.tif 000006
【図５】
2020070830.tif 000007
【図６】
2020070830.tif 000008
【図７】
2020070830.tif 000009
【図８】
2020070830.tif 000010